(57)【要約】【課題】  表示媒体の搬送の際に、表示媒体の表裏面に擦り傷等が生じ難くするとともに、設置面積の低減を図った画像書込装置を提供する。【解決手段】  電子ペーパプリンタ１は、第１のストッパ２７を動作させ、第１の突出片２７ａを水平位置から垂直位置にすると、鉛直姿勢の複数枚の電子ペーパ１０のうち最前面の１枚の電子ペーパ１０が供給部２０から書込み部３０に搬入され、電子ペーパ１０の上端部が第１のストッパ２７の突出片２７ａに沿って通過すると、このストッパ２７は水平位置に戻される。書込み部３０に搬入された電子ペーパ１０は、第２のストッパ３５の突出片３５ａによって下降を止められ、書込み位置にセットされる。この状態で電子ペーパ１０に画像が書き込まれる。【選択図】        図２
2005313563.tif 000002
【特許請求の範囲】
【請求項１】
無電源で画像を保持可能な表示媒体に書換え可能に画像を書き込む画像書込装置において、
水平方向と異なる方向に沿って形成された搬送路と、
前記搬送路上に設けられた書込み位置で前記表示媒体に画像を書き込む書込み部と、
前記書込み部によって前記画像が書き込まれた前記表示媒体を前記搬送路に沿って重力成分が作用する下流側に搬送する搬送部とを備えたことを特徴とする画像書込装置。
【請求項２】
前記書込み部は、複数の前記表示媒体を水平姿勢と異なる姿勢で収容する収容部と、前記収容部から前記表示媒体を１枚ずつ前記水平姿勢と異なる姿勢のまま前記書込み部に押し出す押出し部とを備えたことを特徴とする請求項１記載の画像書込装置。
【請求項３】
前記押出し部は、互いに平行に配置され、外周面側に前記複数の表示媒体を所定の間隔を設けて嵌入して保持する複数の凹部を有する一対の無端状搬送部材と、
前記一対の無端状搬送部材が張架された複数の回転体と、
前記複数の回転体を回転駆動するモータとを備えたことを特徴とする請求項２記載の画像書込装置。
【請求項４】
前記搬送路は、鉛直方向に沿って形成されたことを特徴とする請求項１記載の画像書込装置。
【請求項５】
前記書込み部は、前記表示媒体の前記書込み位置への位置決めおよびゲートを兼ねるストッパを備えたことを特徴とする請求項１記載の画像書込装置。
【請求項６】
前記表示媒体は、表裏面の一方に画像光が照射される書込み領域を有し、
前記書込み部は、前記書込み位置に配置された画像光出射面と、前記書込み位置に供給された前記表示媒体を前記画像光出射面に押圧する押圧部と、前記画像光出射面に押圧さ
れた前記表示媒体の前記書込み領域に前記画像光出射面から前記画像光を照射して前記画像を書き込む露光部とを備えたことを特徴とする請求項１記載の画像書込装置。
【請求項７】
前記露光部は、液晶ディスプレイであることを特徴とする請求項６記載の画像書込装置。
【請求項８】
前記表示媒体は、表裏面の一方に画像光が照射される書込み領域を有し、
前記書込み部は、前記書込み位置に供給された前記表示媒体から離れた場所から前記表示媒体の前記書込み領域に画像光を照射して前記画像を書き込む露光部とを備えたことを特徴とする請求項１記載の画像書込装置。
【請求項９】
前記露光部は、プロジェクタであることを特徴とする請求項８記載の画像書込装置。
【請求項１０】
前記書込み部は、前記書込み位置の前記露光部側に設けられ、前記表示媒体を平坦化する透明板を備えたことを特徴とする請求項８記載の画像書込装置。
【請求項１１】
無電源で画像を保持可能な表示媒体に書換え可能に画像を書き込む画像書込装置において、
水平方向と異なる方向に沿って形成された搬送路と、
前記搬送路の上流側から重力成分が作用する下流側に前記表示媒体を供給する供給部と、
前記搬送路上に設けられた書込み位置に供給された前記表示媒体に画像を書き込む書込み部と、
前記書込み部によって前記画像が書き込まれた前記表示媒体を前記搬送路に沿って重力成分が作用する下流側に搬送する搬送部とを備えたことを特徴とする画像書込装置。
【請求項１２】
前記供給部は、複数の前記表示媒体を水平姿勢と異なる姿勢で収容する収容部と、前記収容部から前記表示媒体を１枚ずつ前記書込み位置より上流側の前記搬送路上の位置に押し出す押出し部とを備えたことを特徴とする請求項１１記載の画像書込装置。
【請求項１３】
前記押出し部は、互いに平行に配置され、外周面側に前記複数の表示媒体を所定の間隔を設けて嵌入して保持する複数の凹部を有する一対の無端状搬送部材と、
前記一対の無端状搬送部材が張架された複数の回転体と、
前記複数の回転体を回転駆動するモータとを備えたことを特徴とする請求項１２記載の画像書込装置。
【請求項１４】
前記供給部は、前記搬送路に前記表示媒体の位置決めおよびゲートを兼ねるストッパを備えたことを特徴とする請求項１１記載の画像書込装置。
【発明の詳細な説明】
【技術分野】
【０００１】
本発明は、繰り返し書き換えが可能で、無電源で表示画像を保持可能な表示媒体を書込み位置へ搬送して書込みを行う画像書込装置に関し、特に、表示媒体の搬送の際に、表示媒体の表裏面に擦り傷等が生じ難くするとともに、設置面積の低減を図った画像書込装置に関する。
【背景技術】
【０００２】
近年、表示記録媒体として、紙媒体や電子ディスプレイデバイスの他に、電子ディスプレイの長所と紙の長所を併せ持った電子ぺーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのためのエネルギーを与えるだけで良く、表示を維持するためのエネルギーの印加は不要である。従って、情報の書込み後に画像書込装置から表示記録媒体のみを取り出して、紙媒体のように手軽に持ち運んだり、重ねたり、並べたり、手に持って情報を読むことができる。
【０００４】
上記のようなメモリ性を有する表示記録媒体として、電圧の印加と光の照射によって画像が可視的かつ消去自在にメモリされる光書込型表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶層と、光の照射によって抵抗値が変化する光導電層とが積層されたものである。また、その表示記録媒体に画像を書き込む画像書込装置は、格納部から搬送されてきた表示記録媒体を液晶光出力デバイスの表面に密着させ、この状態のままバックライトにより背面から照明されている液晶光出力デバイスに画像を表示すると共にその画像光を表示記録媒体の光導電層に照射し、光導電層に光パターンに基づく抵抗分布を生じさせ、透明電極間に電圧を印加して、光導電層の抵抗分布に基づく分圧分布を液晶層に印加し、分圧分布に応じた画像を液晶層に記録するものである。
【特許文献１】特開２００１−３０１２３３号公報（［００４４］〜［００４７］および図４）
【発明の開示】
【発明が解決しようとする課題】
【０００６】
しかし、従来の画像書込装置によると、複数枚の表示記録媒体を重ねてトレイに収納しておき、このトレイ内の複数枚の表示記録媒体の最下段から１枚毎に書込み位置へ搬送して書込みを行おうとすると、トレイから抜き出し中の表示記録媒体とトレイ内の下から２枚目の表示記録媒体とが擦りあう状態を生じ、表面に擦り傷が生じる。表示記録媒体はリライタブルであるため、画像書込装置に通す回数が増えると、擦り傷等による汚れの影響が無視できなくなり、表示記録媒体同士の密着によって、ジャム（ＪＡＭ）を生じるケースが多くなる。
【０００７】
従って、本発明の目的は、表示媒体の搬送の際に、表示媒体の表裏面に擦り傷等が生じ難くするとともに、設置面積の低減を図った画像書込装置を提供することにある。
【課題を解決するための手段】
【０００８】
本発明は、上記の目的を達成するため、無電源で画像を保持可能な表示媒体に書換え可能に画像を書き込む画像書込装置において、水平方向と異なる方向に沿って形成された搬送路と、前記搬送路上に設けられた書込み位置で前記表示媒体に画像を書き込む書込み部と、前記書込み部によって前記画像が書き込まれた前記表示媒体を前記搬送路に沿って重力成分が作用する下流側に搬送する搬送部とを備えたことを特徴とする画像書込装置を提供する。
【発明の効果】
【０００９】
本発明の画像書込装置によれば、表示媒体を水平姿勢とは異なる姿勢で取り扱うことにより、表示媒体の表裏面への接触圧力が小さくなるため、表示媒体の搬送の際、表示媒体の表裏面に擦り傷等が生じ難くすることができる。また、書込み部および搬送部の床面への投影面積が小さくなるため、設置面積の低減を図ることができる。
【発明を実施するための最良の形態】
【００１０】
［第１の実施の形態］
図１は、本発明の第１の実施の形態に係る画像書込装置としての電子ペーパプリンタ（以下、単に「プリンタ」ともいう。）の構成を示す背面図である。さらに、図２は、図１のＡ−Ａ線の断面を示す。なお、図１においては、本体の背面（壁面）部分の図示を省略している。
【００１１】
（電子ペーパプリンタの構成）
このプリンタ１は、複数枚の表示記録媒体としての電子ペーパ１０を鉛直姿勢で収納するとともに１枚ずつ書込み位置に供給する供給部２０と、この供給部２０から供給された１枚の電子ペーパ１０に光学的に画像を書き込む書込み部３０と、書込み部３０から排出された電子ペーパ１０を収納するストッカ４０とを備えて構成されており、図２に示すように、壁面Ｃに取り付けられ、或いは壁面Ｃに接するように設置される。なお、「鉛直姿勢」には、鉛直方向の姿勢の他、鉛直方向から±３０°の範囲の姿勢も含まれるものとする。
【００１２】
（搬送部の構成）
供給部２０は、本体２１と、複数枚の電子ペーパ１０を背部から押圧する第１の押圧板２２と、この第１の押圧板２２を駆動する第１のエアシリンダ２３と、最前面の電子ペーパ１０の１枚だけを排出するゲートを兼ねた第１のストッパ２７とを備えている。第１のストッパ２７は、電磁ソレノイド、モータ等を駆動源にして９０°の範囲で回転でき、その第１の突出片２７ａが水平位置（実線位置）と垂直位置（点線位置）に位置できるように構成されている。
【００１３】
（書込み部の構成）
書込み部３０は、本体３１と、電子ペーパ１０に露光を行う露光部３２と、供給部２０からの電子ペーパ１０を書込み位置に位置決めすると共に書込み後の電子ペーパ１０をストッカ４０側へ排出するときに搬出経路を形成する第２のストッパ３５と、露光部３２の背面に押し当てられる第２の押圧板３６と、この第２の押圧板３６を押圧駆動する第２のエアシリンダ３７とを備えて構成されている。第２のストッパ３５は、第２の突出片３５ａを備え、その構成は第１のストッパ２７と同様であり、また、駆動源には電磁ソレノイド、モータ等を用いている。
【００１４】
更に、書込み部３０は、電子ペーパ１０に所定の電圧を印加するためのパルス電源回路、電子ペーパ１０に電圧を印加するための端子、書込み処理を実行する制御部、画像データが格納された記憶部等（いずれも図示せず。）を備えている。
【００１５】
露光部３２は、画像光を出射する液晶ディスプレイ３２Ａと、この液晶ディスプレイ３２Ａを背面から照明するバックライト３２Ｂとを備える。また、バックライト３２Ｂには、冷陰極管、白色ＬＥＤ（発光ダイオード）、ＥＬ（エレクトローラミネッセンス）などを用いることができる。
【００１６】
（ストッカの構成）
ストッカ４０は、書込み部３０からの電子ペーパ１０を複数枚収納可能なスペースを有する本体４１と、書込み部３０から搬入された電子ペーパ１０を前面側へ排出させるための傾斜部４２とを備えている。本体４１は、収納された電子ペーパ１０の取り出しを容易にするため、前面が開口している。
【００１７】
（電子ペーパの層構成）
図３は、図１の電子ペーパ１０のＢ−Ｂ線の断面を示す。同図中、（ａ）は書込み方向と目視方向が反対である層構成の電子ペーパを示し、（ｂ）は書込み方向と目視方向が同一である層構成の電子ペーパを示す。
【００１８】
図３の（ａ）の構成について説明する。電子ペーパ１０は薄型矩形状を有し、対向配置されたＰＥＴ（ポリエチレンテレフタレート）フィルムからなる一対の基板１０１Ａ，１０１Ｂと、これらのそれぞれの内側に設けられたＩＴＯ（インジウム錫酸化物）からなる一対の透明電極１０２Ａ，１０２Ｂと、透明電極１０２Ａの内側に設けられ、印加電圧に応じて反射率（透過率）が変化するメモリ性を有する液晶、例えば、コレステリック液晶からなる液晶層１０３と、液晶層１０３の内側に設けられた光吸収層１０４と、光吸収層１０４と透明電極１０２Ｂの間に設けられ、書込みパターン光７０の照射によって抵抗値が小さくなる光導電層１０５と、透明電極１０２Ｂに一端が接続された延在部１０６とを備えて構成されている。
【００１９】
光導電層１０５は、２つの電荷発生層１０５ａ，１０５ｃと、これらの間に設けられた電荷輸送層１０５ｂとを備えて構成されている。電荷輸送層１０５ｂの両側に電荷発生層１０５ａ，１０５ｃを積層した構成とすることにより、液晶層１０３への交流電圧の印加が可能となり、液晶層１０３の劣化を抑えることができ、駆動電圧の低電圧化、電子ペーパ１０の高寿命化を実現することができる。
【００２０】
基板１０１Ａには、一対の開口１０８Ａ，１０８Ｂが設けられている。開口１０８Ａの内側の延在部１０６上には受電部１０７Ａが形成され、開口１０８Ｂの内側の透明電極１０２Ａの上端には受電部１０７Ｂが形成されている。
【００２１】
（電子ペーパへの書込み動作）
書込みパターン光７０は、基板１０１Ｂおよび透明電極１０２Ｂを通して光導電層１０５に照射される。光導電層１０５は、書込みパターン光７０の照射によって抵抗値が小さくなり、それにより光導電層１０５とのインピーダンス比で決まる液晶層１０３の分圧が増加し、一定以上の閾値を越えた電圧が印加された後、液晶層１０３における光反射率が大きい状態で保持される。
【００２２】
従って、電子ペーパ１０を表面１０ａから見た場合、書込みパターン光７０が照射された領域は、照明光７１を受けて液晶層１０３で反射し、表示光７２として白く見える。逆に、書込みパターン光７０が照射されていない領域は、光導電層１０５の抵抗値が大きくなり、液晶層１０３には閾値を越えない電圧が印加された後、液晶層１０３は光を透過する状態で保持される。この液晶層１０３を通過した光は、光吸収層１０４で吸収されるため、書込みパターン光７０が照射されていない領域は、黒く見える。
【００２３】
図３の（ａ）の電子ペーパ１０は、電子ペーパ１０に対する書込みパターン光７０の照射方向と、書込み後の画像を見る方向が逆になっている。従って、ユーザは、露光部３２から排出された電子ペーパ１０を裏返しにすることなく、電子ペーパ１０の上面をＥ方向から見れば、 直ちに画像内容を確認することができる。
【００２４】
（電子ペーパの他の層構成）
次に、図３の（ｂ）の電子ペーパ１０の構成について説明する。この電子ペーパ１０は、図３の（ａ）の電子ペーパ１０において、液晶層１０３と光導電層１０５の配置を入れ替えると共に、液晶層１０３と光吸収層１０４の間に隔離層１０９を設け、更に光吸収層１０４を透明電極１０２Ａの内側に配設した構成になっている。その他の構成は、図３の（ａ）の電子ペーパ１０と同じである。
【００２５】
図３の（ｂ）の電子ペーパ１０は、図３の（ａ）の電子ペーパ１０と同様の原理で書込みが行われる。ただし、書込みパターン光７０が、基板１０１Ｂ、液晶層１０３、および隔離層１０９を通して光導電層１０５に照射され、見る方向が書込みパターン光７０の照射方向と同じになる。
【００２６】
（プリンタの動作）
次に、図１〜図３を参照して、第１の実施の形態に係るプリンタ１の動作について説明する。まず、第１，第２のストッパ２７，３５は、第１，第２の突出片２７ａ，３５ａが水平位置（実線位置）にあるように駆動されている。１枚または複数枚の電子ペーパ１０が、図２に示すように、供給部２０内に書込み面を一致させてセットされる。画像書込開始ボタン（図示せず）が押されると、図示しない制御部の制御の下に第１のエアシリンダ２３が動作し、供給部２０内の複数の電子ペーパ１０が一括して図２の左側へ押圧されるように第１の押圧板２２が駆動される。これにより、図２のように、最前面の１枚の電子ペーパ１０の周囲が壁面Ｃ側の本体２１に当接すると共に、下端部は第１のストッパ２７の第１の突出片２７ａの上に載置された状態になる。
【００２７】
ついで、制御部は、第１のエアシリンダ２３の駆動を停止し、或いは若干引き戻るように駆動し、第１のストッパ２７を動作させる。この制御により、第１のストッパ２７の第１の突出片２７ａが垂直位置（点線位置）になり、最前面の電子ペーパ１０はその姿勢を保持したまま下方向に搬送される。
【００２８】
電子ペーパ１０の上端部が第１のストッパ２７を通過したタイミングで、制御部は第１のストッパ２７を駆動し、第１の突出片２７ａを点線で示す垂直位置から実線で示す水平位置に変化させ、２枚目の電子ペーパ１０が書込み部３０に入り込むのを防止する。
【００２９】
供給部２０から供給された電子ペーパ１０が書込み部３０内に搬入され、さらに露光部３２の対向面に到達すると、第２のストッパ３５の第２の突出片３５ａが水平位置にあるため、搬送されてきた電子ペーパ１０は、第２の突出片３５ａ上で停止する。
【００３０】
電子ペーパ１０が露光部３２の対向面に到達したことを図示しないセンサが検出すると、制御部は第２のエアシリンダ３７を駆動し、第２の押圧板３６を前進させ、露光部３２の表面を電子ペーパ１０に密着させる。
【００３１】
ついで、制御部は、露光部３２の液晶ディスプレイ３２Ａおよびバックライト３２Ｂを動作させると共にパルス電源回路を動作させ、電子ペーパ１０の受電部１０７Ａ，１０７Ｂに電圧を印加する。画像データに基づいて液晶ディスプレイ３２Ａが駆動されると、液晶ディスプレイ３２Ａは、電子ペーパ１０の裏面１０ｂに書込みパターン光７０を照射する。
【００３２】
図３に示すように、書込みパターン光７０は、基板１０１Ｂおよび透明電極１０２Ｂを通して光導電層１０５に照射され、上記した書込みの原理によって電子ペーパ１０への画像の書込みが行われる。書込みが終了すると、第２のエアシリンダ３７が駆動され、第２の押圧板３６を後退させ、電子ペーパ１０を開放する。次に、制御部は、第２のストッパ３５を駆動し、第２の突出片３５ａを水平位置から垂直位置に変化させ、露光部３２の前面の電子ペーパ１０をストッカ４０側へ搬送する。下降中の電子ペーパ１０の下端部は傾斜部４２によってストッカ４０の前方へ押し出され、既にストッカ４０に収納されている電子ペーパ１０の上端部に当たらないようにして下降する。電子ペーパ１０の上端部が第２のストッパ３５を抜けると、電子ペーパ１０はストッカ４０内に斜めに自然落下し、図２に示すように壁面側に倒れるようにして収納される。
【００３３】
その後、供給部２０の第１のエアシリンダ２３が駆動され、供給部２０に残された複数の電子ペーパ１０の内の最前面の電子ペーパ１０が第１のストッパ２７上にセットされた後、上記した様にして露光部３２上に搬入され、更に、露光部３２で露光が行われ、ストッカ４０に搬入する処理が、供給部２０内の電子ペーパ１０が無くなるまで繰り返し実行される。
【００３４】
（第１の実施の形態の効果）
この第１の実施の形態によれば、以下の効果が得られる。
（イ）電子ペーパ１０は、第１のストッパ２７によって１枚ずつ鉛直姿勢のまま露光部３２、ストッカ４０に搬入されるため、電子ペーパ１０の表裏面への接触圧力が小さくなることから、電子ペーパ１０同士の擦れ、更には他の部材との摩擦も殆ど生じないので、電子ペーパ１０の表裏面に汚れや擦れによる傷の発生を無くすることができる。
（ロ）電子ペーパ１０の搬送に重力による落下を利用しているため、搬送のための動力はそれほど必要としないことから、搬送ローラ，搬送ベルト等の搬送部材を無くすことができる。
（ハ）供給部２０、書込み部３０およびストッカ４０を鉛直方向に配置しているので、床面への投影面積が小さくなるため、設置面積の低減を図ることができる。
（ニ）電子ペーパ１０は、柔軟性を有する材料から形成されているので、曲げ半径の小さなペーパパスが可能であり、各種の画像書込装置に使用することが可能となる。
【００３５】
［第２の実施の形態］
図４は、本発明の第２の実施の形態に係るプリンタの構成を示す断面図である。この第２の実施の形態は、第１の実施の形態において、電子ペーパ１０を重力成分が作用する方向に搬送するようにしたものであり、第１の実施の形態のプリンタ１を、支持台５５を用いて例えば４５°の角度に傾斜させて床面（または机上面）Ｄ等の水平面または壁面に設置できるようにした構成に特徴があり、他の構成は第１の実施の形態と同様である。供給部２０は、電子ペーパ１０を前面からセットできるように、前面に開口２８が設けられている。
【００３６】
（プリンタの動作）
電子ペーパ１０は、ユーザにより、供給部２０の開口２８を通してセットされる。その後、第１のストッパ２７を突出片２７ａが実線図示から点線図示の状態になるように動作することにより、最前面の１枚の電子ペーパ１０が供給部２０から書込み部３０へ搬送される。以後の動作は、第１の実施の形態で説明した通りである。
【００３７】
（第２の実施の形態の効果）
この第２の実施の形態によれば、第１の実施の形態と同様の効果が得られる他、供給部２０内の電子ペーパ１０は、厚み方向の重みにより本体２１の底面側に押し当てられるので、第１の実施の形態が必要とした第１の押圧板２２および第１のエアシリンダ２３が不要になり、小型・軽量化が可能になる。また、搬送路が鉛直方向に対して傾斜しているため、鉛直方向の搬送路と比較して電子ペーパ１０の落下速度が小さいことから、電子ペーパ１０の下端面の傷や歪みを減らすことができる。
【００３８】
［第３の実施の形態］
図５は、本発明の第３の実施の形態に係るプリンタの構成を示す断面図である。この第３の実施の形態は、第１の実施の形態において、書込み部３０が異なり、他は第１の実施の形態と同様に構成されている。
【００３９】
この書込み部３０は、壁面Ｃ側の本体３１部分との間に電子ペーパ１０が通過するスペースを設けるように設置されたコンタクト透明板３９と、コンタクト透明板３９から離れた位置に設けられた露光部としてのプロジェクタ６０と、コンタクト透明板３９を押圧して電子ペーパ１０を平坦化する偏心ローラ３３とを備えて構成されている。
【００４０】
コンタクト透明板３９は、透明ガラス、透明プラスチック等を用いて構成される。コンタクト透明板３９とプロジェクタ６０の間の距離は、プロジェクタ６０の照射範囲が書込み位置にある電子ペーパ１０の書込み領域にほぼ等しくなるように設定する。偏心ローラ３３は、図示しないモータによって回転駆動される。
【００４１】
（プリンタの動作）
供給部２０に電子ペーパ１０をセットし、その最前面の１枚を書込み位置に搬送するまでの動作は、第１の実施の形態と同じであるので、説明は省略する。コンタクト透明板３９の前面に電子ペーパ１０が搬入されると、制御部はモータを駆動して偏心ローラ３３を回転させてコンタクト透明板３９を電子ペーパ１０に押圧させ、電子ペーパ１０の受電部１０７Ａ，１０７Ｂ（図３を参照）に電圧を印加すると共に、プロジェクタ６０を動作させ、電子ペーパ１０への書込みを実施する。画像の書込みが終了した電子ペーパ１０は、第２のストッパ３５が動作することで、ストッカ４０へ搬送され、ストッカ４０に収納される。
（第３の実施の効果）
【００４２】
この第３の実施の形態によれば、第１の実施の形態と同様の効果が得られる他、プロジェクタ６０は、市販の汎用品を用いることができるため、コストダウンが可能になる。また、プロジェクタ６０を用いて露光を行うため、配置に自由度がある。
【００４３】
［第４の実施の形態］
図６は、本発明の第４の実施の形態に係るプリンタの構成を示す断面図である。この第４の実施の形態は、第１の実施の形態において、供給部２０が、電子ペーパ１０をタイミングベルトで搬送する構成にしたところに特徴があり、他の構成は第１の実施の形態と同様である。
【００４４】
本実施の形態における供給部２０は、複数の電子ペーパ１０を縦位置で保持する一対のタイミングベルト８１Ａ，８１Ｂと、このタイミングベルト８１Ａ，８１Ｂの一端を回転可能に支持すると共にそれぞれのタイミングベルト８１Ａ，８１Ｂを図示しないモータによって同期して回転駆動する駆動歯車８２Ａ，８２Ｂと、タイミングベルト８１Ａ，８１Ｂの他端を支持する従動歯車８３Ａ，８３Ｂとを備えて構成されている。
【００４５】
タイミングベルト８１Ａ，８１Ｂは、裏面には内歯８１ａが形成され、表面には一定間隔に外歯８１ｂが形成されており、外歯８１ｂの間の凹部に１枚の電子ペーパ１０が縦位置で係止される。
【００４６】
（プリンタの動作）
画像書込開始ボタンが押されると、制御部は、タイミングベルト８１Ａ，８１Ｂを回転駆動する。図６の右側から手動又は自動により、電子ペーパ１０を回転中のタイミングベルト８１Ａ，８１Ｂの外歯８１ｂ間（凹部）に挿入すると、タイミングベルト８１Ａ，８１Ｂの上下の凹部間に１枚の電子ペーパ１０が嵌め込まれ、その状態のままタイミングベルト８１Ａ，８１Ｂの回転に伴って図示の左側へ移動する。
【００４７】
タイミングベルト８１Ａ，８１Ｂによる搬送によって、電子ペーパ１０がタイミングベルト８１Ａ，８１Ｂの図６中の左側端部に到達すると、電子ペーパ１０は、タイミングベルト８１Ａ，８１Ｂから開放され、そのまま重力により落下する。
【００４８】
電子ペーパ１０が書込み部３０に進入すると、その下部は第２のストッパ３５の第２の突出片３５ａに当接し、電子ペーパ１０は書込み位置に搬入される。電子ペーパ１０が書込み位置に到達したことを図示しないセンサが検出すると、制御部は、第２の押圧板３６および第２のエアシリンダ３７を駆動して露光部３２を押し出し、液晶ディスプレイ３２Ａを書込み位置の電子ペーパ１０に密着させる。ついで、制御部は、第１の実施の形態で説明したように電子ペーパ１０に電圧を印加すると共に、露光部３２を動作させ、画像の書込みを実施する。
【００４９】
画像の書込みが終了すると、制御部は、第２のエアシリンダ３７を動作させ、第２の押圧板３６を後退させる。ついで、制御部は、第２のストッパ３５を動作させ、第２の突出片３５ａを水平位置から垂直位置にし、電子ペーパ１０を書込み部３０からストッカ４０へ搬入させる。
【００５０】
（第４の実施の形態の効果）
この第４の実施の形態によれば、電子ペーパ１０はタイミングベルト８１Ａ，８１Ｂによって１枚ずつ鉛直姿勢のまま露光部３２へ搬送されるため、露光部３２への搬入に際して電子ペーパ１０同士および他の部材との摩擦力を低減できるため、電子ペーパ１０の表面に汚れや擦れによる傷の発生を無くすることができる。
【００５１】
［第５の実施の形態］
図７は、本発明の第５の実施の形態に係るプリンタの構成を示す断面図である。この第５の実施の形態は、第１の実施の形態において、供給部２０と書込み部３０を一体化した供給書込み部５０としたものであり、他は第１の実施の形態と同様に構成されている。
【００５２】
供給書込み部５０は、本体５１と、複数枚の電子ペーパ１０を背部から押圧する押圧板５２と、この押圧板５２を駆動するエアシリンダ５３と、最前面の電子ペーパ１０の１枚だけを排出するゲートを兼ねたストッパ５４と、本体５１の壁面Ｃ側に取り付けられた露光部３２とを備えている。ストッパ５４は、電磁ソレノイド、モータ等を駆動源にして９０°の範囲で回動でき、その突出片５４ａが水平位置（実線位置）と垂直位置（点線位置）に位置できるように構成されている。
【００５３】
露光部３２の液晶ディスプレイ３２Ａは、電子ペーパ１０に向いた面が書込みパターン光７０の出射面となるように供給書込み部５０対に配置される。従って、電子ペーパ１０は、第１の実施の形態の場合とは書込み面を逆にしてセットする構成になる。
【００５４】
（プリンタの動作）
ストッパ５４は、突出片５４ａが水平位置（実線位置）にあるように制御部により駆動されている。第１の実施の形態の場合と異なり、電子ペーパ１０は表裏逆にして供給書込み部５０にセットする。電子ペーパ１０をセットした後、エアシリンダ５３を駆動し、電子ペーパ１０の全部を押圧板５２で押圧する。この押圧により、電子ペーパ１０の最前面の１枚が液晶ディスプレイ３２Ａに密着する。この状態で、最前面の電子ペーパ１０の受電部（図３に図示の受電部１０７Ａ，１０７Ｂ）に電圧を印加すると共に、露光部３２を動作させ、書込みを実施する。
【００５５】
書込みの終了後、制御部はエアシリンダ５３の駆動を停止させ、或いは若干引き戻すように駆動して最前面の電子ペーパ１０が動き易くなるようにする。ついで、制御部はストッパ５４を同時に回転駆動させる。ストッパ５４の突出片５４ａが水平位置（実線位置）から垂直位置（点線位置）になることで、最前面の電子ペーパ１０は下降する。この電子ペーパ１０は落下して傾斜部４２でガイドされながらストッカ４０内に自然落下し、収納される。
【００５６】
（第５の実施の効果）
この第５の実施の形態によれば、第１の実施の形態と同様の効果が得られる他、供給部を別個に設ける必要がないので、構成の簡略化、小型・軽量化を図ることができる。
【００５７】
［第６の実施の形態］
図８は、本発明の第６の実施の形態に係るプリンタの構成を示す断面図である。この第６の実施の形態は、第５の実施の形態において、露光部３２の代わりにプロジェクタ６０を用い、押圧板５２の対向する位置にコンタクト透明板３９を配置したものであり、他は第５の実施の形態と同様に構成されている。
【００５８】
この第６の実施の形態によれば、供給部を別個に設ける必要がないので、第５の実施の形態と同様に、構成の簡略化、小型・軽量化を図ることができる。
【００５９】
［第７の実施の形態］
図９は、本発明の第７の実施の形態に係るプリンタの構成を示す断面図である。この第７の実施の形態は、図４に示す第２の実施の形態において、供給部２０と書込み部３０とを一体化した供給書込み部５０とし、ストッカ４０の上部に、供給書込み部５０からの電子ペーパ１０を挟持しながら重力成分が作用する下方へ搬送するための一対の搬送ローラ４５，４５を設けたものであり、他は第２の実施の形態と同様に構成されている。
【００６０】
一対の搬送ローラ４５，４５は、図示しないモータによって回転駆動される駆動ローラと、バネ等によって駆動ローラ側に付勢され、駆動ローラの回転に伴って回転する従動ローラとの組合せからなり、駆動ローラと従動ローラは、接しているか、電子ペーパ１０の厚さより若干狭い間隙を設けて配置されている。このような構成とすることにより、ストッパの機能を果たしている。
【００６１】
（プリンタの動作）
露光部３２が、供給書込み部５０内の電子ペーパ１０と本体５１の背面の内側の間に配設されているため、供給書込み部５０への電子ペーパ１０のセットは、第２の実施の形態とは逆に書込み面を本体背面側に向けてセットする。供給書込み部５０対の液晶ディスプレイ３２Ａには、電子ペーパ１０の重力によって最前面の電子ペーパ１０が密着する。このとき、その最前面の電子ペーパ１０は、下端部が一対の搬送ローラ４５，４５間に停止している。
【００６２】
この状態で、露光部３２によって最前面の電子ペーパ１０に画像の書込みが行われる。書込みが終了すると、制御部は搬送ローラ４５を回転させ、最前面の電子ペーパ１０のみをストッカ４０側に搬送する。この最前面の電子ペーパ１０の上端が搬送ローラ４５を抜け出たタイミングで図示しないセンサで検出し、この検出と共に搬送ローラ４５の回転を停止させる。搬送ローラ４５を抜け出た電子ペーパ１０‘は、ストッカ４０内に自然落下し、収納スペース内に収納される。
【００６３】
搬送ローラ４５の回転が停止することで、２枚目以降の電子ペーパ１０は搬送ローラ４５に送り込まれることがなく、新たに最前面となった電子ペーパ１４０が露光部３２に密着し、以後、上記したようにして最後の電子ペーパ１０が終了するまで、書込みと搬出が繰り返し実行される。
【００６４】
（第７の実施の形態の効果）
この第７の実施の形態によれば、第２の実施の形態と同様の効果が得られる他、供給部を別個に設ける必要がないので、構成の簡略化、小型・軽量化を図ることができる。また、電子ペーパ１０の搬送に重力による落下を利用しているため、搬送のための動力はそれほど必要としないことから、搬送ローラ４５の動力は小さくて済む。また、電子ペーパ１０が強く押圧されることも無いため、これによっても傷等の発生を抑えることができる。
【００６５】
［第８の実施の形態］
図１０は、本発明の第８の実施の形態に係るプリンタの構成を示す断面図である。この第８の実施の形態は、第７の実施の形態において、露光部３２の代わりにプロジェクタ６０を用い、露光部３２の位置にコンタクト透明板３９を配置したものであり、他は第７の実施の形態と同様に構成されている。
【００６６】
プロジェクタ６０は、取付板５６によって支持台５５の内部に取り付けられ、プロジェクタ６０からの書込みパターン光７０が支持台５５に設けた開口５５ａ、本体５１に設けた開口５１ｂおよびコンタクト透明板３９を介して電子ペーパ１０に照射されるように構成されている。
【００６７】
（第８の実施の形態の効果）
この第８の実施の形態によれば、供給部を別個に設ける必要がないので、第７の実施の形態と同様に、構成の簡略化、小型・軽量化を図ることができる。また、プロジェクタ６０を三角形状の支持台５５内に収容できるので、スペースの有効利用を図ることができる。
【００６８】
［他の実施の形態］
なお、本発明は、上記各実施の形態に限定されず、その要旨を変更しない範囲内で種々な変形が可能である。例えば、各実施の形態間の構成要素の組合せは任意に行うことができる。例えば、第７の実施の形態の一対の搬送ローラ４５，４５を他の実施の形態のストッパの代わりに用いる構成が考えられる。また、第４の実施の形態の一対のタイミングベルト８１Ａ，８１Ｂを用いた電子ペーパ１０の押出し構造を、他の実施の形態の押出し構造に用いても良い。
【００６９】
また、一対の搬送ローラ４５，４５の代わりに、一対の搬送ベルトを用いてもよく、また、ガイド面と搬送ローラあるいは搬送ベルトとの間に電子ペーパ１０を挟持して電子ベーパ１０を位置決めしてもよい。
【００７０】
また、鉛直方向の搬送路や鉛直方向に対して傾斜した搬送路の各部に搬送ローラや搬送ベルトを配設して電子ペーパを搬送してもよい。これにより、電子ペーパの搬送速度を遅くして衝突による電子ペーパの下端面の傷や歪み等を低減することができる。
【００７１】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式を用いてもよい。
【００７２】
また、露光部３２には液晶ディスプレイを用いたが、他に、ＣＲＴディスプレイ、プラズマディスプレイなど、電子ペーパ１０の書込領域と略等倍の表示領域を有するディスプレイを用いることができる。
【００７３】
また、上記プロジェクタ６０に代えてＣＲＴディスプレイ、プラズマディスプレイ等の表示装置と結像光学系を組み合わせた投影装置により、表示装置からの画像光を電子ペーパの書込み領域に結像させてもよい。
【図面の簡単な説明】
【００７４】
【図１】本発明の第１の実施の形態に係る電子ペーパプリンタの構成を示す背面図である。
【図２】図１に示す書込み部のＡ−Ａ線の断面図である。
【図３】図２の電子ペーパのＢ−Ｂ線の断面を示し、（ａ）は書込み方向と目視方向が反対である層構成の電子ペーパの断面図、（ｂ）は書込み方向と目視方向が同一である層構成の電子ペーパの断面図を示す。
【図４】本発明の第２の実施の形態に係る電子ペーパプリンタの断面図である。
【図５】本発明の第３の実施の形態に係る電子ペーパプリンタの背面図である。
【図６】本発明の第４の実施の形態に係る電子ペーパプリンタの断面図である。
【図７】本発明の第５の実施の形態に係る電子ペーパプリンタの断面図である。
【図８】本発明の第６の実施の形態に係る電子ペーパプリンタの断面図である。
【図９】本発明の第７の実施の形態に係る電子ペーパプリンタの断面図である。
【図１０】本発明の第８の実施の形態に係る電子ペーパプリンタの断面図である。
【符号の説明】
【００７５】
１  電子ペーパプリンタ
１０  電子ペーパ
１０ａ  表面
１０ｂ  裏面
２０  搬送部
２１  本体
２２  第１の押圧板
２３  第１のエアシリンダ
２７  第１のストッパ
２７ａ  第１の突出片
２８  開口
３０  書込み部
３１  本体
３２  露光部
３２Ａ  液晶ディスプレイ
３２Ｂ  バックライト
３５  第２のストッパ
３５ａ  第２の突出片
３６  第２の押圧板
３７  第２のエアシリンダ
３９  コンタクト透明板
４０  ストッカ
４１  本体
４２  傾斜部
４３  ガイド
４５  搬送ローラ
５０  供給書込み部
５１  本体
５１ａ  開口
５２  押圧板
５３  エアシリンダ
５４  ストッパ
５４ａ  突出片
５５  支持台
５５ａ  開口
５６  取付板
６０  プロジェクタ
７０  書込みパターン光
７１  照明光
７２  表示光
８１Ａ，８１Ｂ  タイミングベルト
８２Ａ，８２Ｂ  駆動歯車
８３Ａ，８３Ｂ  従動歯車
１０１Ａ，１０１Ｂ  基板
１０２Ａ  透明電極
１０３  液晶層
１０４  光吸収層
１０５  光導電層
１０５ａ，１０５ｃ  電荷発生層
１０５ｂ  電荷輸送層
１０６  延在部
１０７Ａ，１０７Ｂ  受電部
１０８Ａ，１０８Ｂ  開口
１０９  隔離層
【図１】
2005313563.tif 000003
【図２】
2005313563.tif 000004
【図３】
2005313563.tif 000005
【図４】
2005313563.tif 000006
【図５】
2005313563.tif 000007
【図６】
2005313563.tif 000008
【図７】
2005313563.tif 000009
【図８】
2005313563.tif 000010
【図９】
2005313563.tif 000011
【図１０】
2005313563.tif 000012